(57)【要約】  双方向テレビアプリケーションは、スポーツイベントにおいて視聴者がコース（100）に沿った参加者（110）の進行を追跡することを可能にする。GPS装置（160）等を使用することにより、参加者の位置が追跡される。データはアプリケーションに提供され、コースに沿った異なるポイントの距離及び参加者の位置を示すグラフィック（700）の画面上表示（310）を提供する。グラフィックは、位置の変化を示すように更新される。困難度（500）、標高（500、600、700）及び天候状態（700）のようなコースに関する情報も画面上に表示され得る。視聴者はまた、他の参加者がフィルタ除去されるように、追随する参加者を選択してもよい。更に、視聴者が選択された参加者のカメラ供給を視聴するように選ぶことができるように、異なるカメラ供給（120、150）が参加者に関連付けられる。
2008522531.tif 000002
【特許請求の範囲】
【請求項１】
コースに沿って少なくとも１人の参加者を追跡するテレビのアプリケーションを提供する方法であって：
前記コースに沿って異なるポイントの位置を示す第１のデータをアプリケーションで受信し；
前記少なくとも１人の参加者が前記コースを移動するときに前記少なくとも１人の参加者の位置を追跡することにより得られる追跡データを前記アプリケーションで受信し；
前記第１のデータに基づいて前記コースの前記異なるポイントの位置を示し、前記追跡データに基づいて前記コースでの前記少なくとも１人の参加者の位置を示すグラフィックを、前記アプリケーションを介して前記テレビで表示し；
前記少なくとも１人の参加者が前記コースを移動するときに前記少なくとも１人の参加者の位置の変化を示すように前記グラフィックを更新することを有する方法。
【請求項２】
前記コースに沿った異なるポイントの天候状態を示す第２のデータを前記アプリケーションで受信し；
前記第２のデータに基づいて、前記異なるポイントの位置を示す前記グラフィックと共に、前記天候状態を示すグラフィックを、前記アプリケーションを介して前記テレビで表示することを更に有する請求項１に記載の方法。
【請求項３】
前記コースに沿った前記異なるポイントの標高を示す第２のデータを前記アプリケーションで受信し；
前記第２のデータに基づいて、前記異なるポイントの位置を示す前記グラフィックと共に、前記異なるポイントの標高を示すグラフィックを、前記アプリケーションを介して前記テレビで表示することを更に有する請求項１に記載の方法。
【請求項４】
前記第２のデータに基づいて前記コースに沿った異なる部分の困難度を決定し；
前記異なるポイントの標高を示す前記グラフィックと共に、前記決定するステップにより決定された前記異なる部分の前記困難度を示すグラフィックを、前記アプリケーションを介して前記テレビで表示することを更に有する請求項３に記載の方法。
【請求項５】
前記コースに沿った興味のあるポイントに関する情報を提供する第２のデータを前記アプリケーションで受信し；
前記アプリケーションを介して、前記興味のあるポイントのうち１つを選択するコマンドをテレビの視聴者から受信し；
前記第２のデータに基づいて、前記コマンドに応じて、前記選択された興味のあるポイントに関する情報を提供するグラフィックを、前記アプリケーションを介して前記テレビで表示することを更に有する請求項１に記載の方法。
【請求項６】
前記追跡データを受信することは、異なる参加者が前記コースを移動するときに異なる参加者の位置を追跡することにより得られる追跡データを前記アプリケーションで受信することを有し；
前記テレビで表示される前記グラフィックは、前記追跡データに基づいて前記コースの前記異なる参加者の位置を示し；
前記グラフィックは、前記異なる参加者が前記コースを移動ときに前記異なる参加者の位置の変化を示すように更新される請求項１に記載の方法。
【請求項７】
前記異なる参加者に関する情報を提供する第２のデータを前記アプリケーションで受信し；
前記アプリケーションを介して、前記異なる参加者のうち少なくとも１人を選択するコマンドを前記テレビの視聴者から受信し；
前記第２のデータに基づいて、前記コマンドに応じて、前記少なくとも１人の選択された参加者に関する情報を提供するグラフィックを、前記アプリケーションを介して前記テレビで表示することを更に有する請求項６に記載の方法。
【請求項８】
前記追跡データを受信することは、異なる参加者が前記コースを移動するときに異なる参加者の位置を追跡することにより得られる追跡データを前記アプリケーションで受信することを有し；
前記方法は：
前記参加者のうち少なくとも１人を特定し、前記少なくとも１人の参加者の位置は、前記異なる参加者のうち他人から前記少なくとも１人の特定された参加者を区別するように強調して、前記グラフィックで表示されることを更に有する請求項１に記載の方法。
【請求項９】
前記追跡データを受信することは、異なる参加者が前記コースを移動するときに異なる参加者の位置を追跡することにより得られる追跡データを前記アプリケーションで受信することを有し；
前記方法は：
前記アプリケーションを介して、前記参加者のうち少なくとも１人を特定するコマンドを前記テレビの視聴者から受信し、前記少なくとも１人の参加者の位置は、前記参加者のうち他人がフィルタ除去されるように、前記グラフィックで表示されることを更に有する請求項１に記載の方法。
【請求項１０】
前記少なくとも１人の参加者の位置は、前記参加者と共に移動する乗物と前記参加者とのうち少なくとも１つで運ばれる位置測定装置により追跡される請求項１に記載の方法。
【請求項１１】
前記位置測定装置は、衛星利用測位装置を有する請求項１０に記載の方法。
【請求項１２】
コースに沿って参加者を視聴するテレビの双方向アプリケーションを提供する方法であって：
前記参加者が前記コースを移動するときの前記参加者のカメラ供給からのデータと、前記参加者と前記カメラ供給とを関連付けるデータとを前記双方向アプリケーションで受信し；
前記参加者のうち少なくとも１人を特定するコマンドを、前記双方向アプリケーションを介して前記テレビの視聴者から受信し；
前記参加者と前記カメラ供給とを関連付ける前記データを使用して、前記コマンドに応じて、前記少なくとも１人の特定された参加者に関連する前記カメラ供給のうち少なくとも１つを、前記双方向アプリケーションを介して選択し；
前記少なくとも１つの選択されたカメラ供給を前記テレビで再生することを有する方法。
【請求項１３】
前記カメラ供給は、前記参加者が前記コースを移動するときに前記参加者と共に移動する移動カメラ供給を有する請求項１２に記載の方法。
【請求項１４】
前記カメラ供給は、前記コースに沿った静止位置でのカメラ供給を有する請求項１２に記載の方法。
【請求項１５】
前記参加者が前記コースを移動するときに前記参加者の位置を追跡することにより得られる追跡データを前記双方向アプリケーションで受信し；
前記追跡データに基づいて前記コースでの前記参加者の各位置を示すグラフィックを、前記双方向アプリケーションを介して前記テレビで提供することを更に有する請求項１２に記載の方法。
【請求項１６】
コースに沿って参加者を追跡するテレビの双方向アプリケーションを提供する方法であって：
前記参加者が前記コースを移動するときに前記参加者の位置を追跡することにより得られる追跡データを前記双方向アプリケーションで受信し；
前記追跡データに基づいて前記コースでの前記参加者の位置を示すグラフィックを、前記双方向アプリケーションを介して前記テレビで表示し；
前記参加者が前記コースを移動するときに前記参加者の位置の変化を示すように前記グラフィックを更新し；
前記参加者が前記コースを移動するときの前記参加者のカメラ供給からのデータと、前記参加者と前記カメラ供給とを関連付けるデータとを前記双方向アプリケーションで提供し；
前記参加者のうち少なくとも１人を特定するコマンドを、前記双方向アプリケーションを介して前記テレビの視聴者から受信し；
前記参加者と前記カメラ供給とを関連付ける前記データを使用して、前記コマンドに応じて、前記少なくとも１人の特定された参加者の視野を有する前記カメラ供給のうち少なくとも１つを、前記双方向アプリケーションを介して選択し；
前記少なくとも１つの選択されたカメラ供給を前記グラフィックと共に前記テレビで再生することを有する方法。
【請求項１７】
コースに沿って少なくとも１人の参加者を追跡するテレビのアプリケーションを提供するように少なくとも１つのプロセッサにより実行可能な命令を具体的に具現する少なくとも１つのプログラム記憶装置であって：
前記コースに沿って異なるポイントの位置を示す第１のデータを受信し；
前記少なくとも１人の参加者が前記コースを移動するときに前記少なくとも１人の参加者の位置を追跡することにより得られる追跡データを受信し；
前記第１のデータに基づいて前記コースの前記異なるポイントの位置を示し、前記追跡データに基づいて前記コースでの前記少なくとも１人の参加者の位置を示すグラフィックを前記テレビで表示し；
前記少なくとも１人の参加者が前記コースを移動するときに前記少なくとも１人の参加者の位置の変化を示すように前記グラフィックを更新することを有するプログラム記憶装置。
【請求項１８】
コースに沿って参加者を視聴するテレビのアプリケーションを提供するように少なくとも１つのプロセッサにより実行可能な命令を具体的に具現する少なくとも１つのプログラム記憶装置であって：
前記参加者が前記コースを移動するときの前記コースに沿った異なるポイントでの前記参加者のカメラ供給からのデータと、前記参加者と前記カメラ供給とを関連付けるデータとを受信し；
前記参加者のうち少なくとも１人を特定するコマンドを、前記双方向アプリケーションを介して前記テレビの視聴者から受信し；
前記参加者と前記カメラ供給とを関連付ける前記データを使用して、前記コマンドに応じて、前記少なくとも１人の特定された参加者に関連する前記カメラ供給のうち少なくとも１つを選択し；
前記少なくとも１つの選択されたカメラ供給を前記テレビで再生することを有するプログラム記憶装置。
【発明の詳細な説明】
【技術分野】
【０００１】
本発明は、概してテレビでスポーツイベントを視聴するアプリケーションに関し、特に参加者がコースを移動するときに視聴者が参加者に追随することを可能にするアプリケーションに関する。
【背景技術】
【０００２】
自転車、オートバイ、自動車レース、マラソン、クロスカントリー競走又はスキー等のようなテレビでのスポーツイベントの視聴は、人気のある娯楽である。このようなイベントは、しばしば変化する地形で或る程度の距離（数キロメートル等）に延在するコースで行われる。コースは、異なるポイント間、段階、又は参加者が出発点に戻る完結したサーキットに延在する。ツール・ド・フランス自転車レースは、サイクリストが山岳地帯を長距離移動するイベントの一例である。テレビ放送は、参加者の順位（例えば、１位、２位、３位等）と参加者を隔てる時間間隔とを示す画面上情報を提供することにより、視聴者を楽しませてこのようなイベントを視聴者に通知しようとしている。更に、カメラがコースに沿って固定の位置に配置されると共に、参加者に追随する移動式乗物に配置され、イベントのカメラ供給を提供する。カメラは、参加者自体又は参加者の乗物により運ばれ、コースの視野を示すことすらあり得る。しかし、このような技術は有用であるが、イベントと相互作用する有意な機能、又はコース若しくは参加者に関する重要な情報を学習する有意な機能を、視聴者に提供しない。
【発明の開示】
【発明が解決しようとする課題】
【０００３】
本発明は、参加者がコースを移動するときに視聴者が参加者に追随し、コース及び参加者に関する重要な情報を学習することを可能にする双方向アプリケーションを提供することにより、前記及び他の問題に対処する。
【課題を解決するための手段】
【０００４】
本発明の一態様では、コースに沿って少なくとも１人の参加者を追跡するテレビのアプリケーションを提供する方法は、コースに沿って異なるポイントの位置を示す第１のデータをアプリケーションで受信し、少なくとも１人の参加者がコースを移動するときに少なくとも１人の参加者の位置を追跡することにより得られる追跡データをアプリケーションで受信し、第１のデータに基づいてコースの異なるポイントの位置を示し、追跡データに基づいてコースでの少なくとも１人の参加者の位置を示すグラフィックを、アプリケーションを介してテレビで表示し、少なくとも１人の参加者がコースを移動するときに少なくとも１人の参加者の位置の変化を示すようにグラフィックを更新することを有する。
【０００５】
本発明の他の態様では、コースに沿って参加者を視聴するテレビの双方向アプリケーションを提供する方法は、参加者がコースを移動するときの参加者のカメラ供給からのデータと、参加者とカメラ供給とを関連付けるデータとを双方向アプリケーションに提供し、参加者のうち少なくとも１人を特定するコマンドを、双方向アプリケーションを介してテレビの視聴者から受信し、参加者とカメラ供給とを関連付けるデータを使用して、コマンドに応じて、少なくとも１人の特定された参加者に関連するカメラ供給のうち少なくとも１つを、双方向アプリケーションを介して選択し、少なくとも１つの選択されたカメラ供給をテレビで再生することを有する。
【０００６】
本発明の更に他の態様では、コースに沿って参加者を追跡するテレビの双方向アプリケーションを提供する方法は、参加者がコースを移動するときに参加者の位置を追跡することにより得られる追跡データを双方向アプリケーションで受信し、追跡データに基づいてコースでの参加者の位置を示すグラフィックを、双方向アプリケーションを介してテレビで表示し、参加者がコースを移動するときに参加者の位置の変化を示すようにグラフィックを更新し、参加者がコースを移動するときの参加者のカメラ供給からのデータと、参加者とカメラ供給とを関連付けるデータとを双方向アプリケーションに提供し、参加者のうち少なくとも１人を特定するコマンドを、双方向アプリケーションを介してテレビの視聴者から受信し、参加者とカメラ供給とを関連付けるデータを使用して、コマンドに応じて、少なくとも１人の特定された参加者の視野を有するカメラ供給のうち少なくとも１つを、双方向アプリケーションを介して選択し、少なくとも１つの選択されたカメラ供給をグラフィックと共にテレビで再生することを有する。
【０００７】
対応するシステム及びプログラム記憶装置も提供される。
【発明を実施するための最良の形態】
【０００８】
全ての図面で、対応する部分は同じ参照符号により示されている。
【０００９】
概して、本発明は、参加者がコースを移動するスポーツイベントのテレビ視聴者のための双方向アプリケーションを提供する。参加者は、ランニング、サイクリング又はクロスカントリースキーのように自分の力でコースを移動してもよく、例えば自動車、オートバイ又はボートのように電動の乗物でコースを移動してもよく、乗馬又は犬ぞりのように他の手段によりコースを移動してもよい。この概念は無人の乗物又は動物でも同様に使用可能である。例示のみの目的で、道路コースでのサイクリングコンテストに関して本発明について説明する。
【００１０】
図１は、道路コースでのサイクリストを示しており、本発明に従って静止及び移動カメラからの供給が得られる。コース（コースの一部を概して100で示す）は、例えばコースの出発点に関してコースに沿った異なるポイントの距離を示すデータを取得すること等により、イベントの前に調査されてもよい。コースに沿った異なるポイントの標高に関するデータも取得されてもよい。コースが丘陵又は山岳である場合に、このデータは視聴者に特に興味深いことがある。このようなデータは、地球の表面特徴を描くデータベースから利用可能なことがある。或いは、位置測定装置及び標高／高度測定装置を備えた乗物がコースを運転し、データを取得してもよい。例えば、コースの異なるポイントの緯度及び経度に関するデータを取得するために、乗物のGPS（global  positioning  satellite）受信機のような位置測定装置が使用されてもよい。GPS受信機は、３つ以上の衛星から信号を受信し、三角測量によりその位置を決定する。乗物の高度計が標高を測定してもよい。更に、GPS及び高度データが、（位置，標高）の座標を有する一式のデータを提供するために記録されてもよい。
【００１１】
イベントの間に、１人以上の参加者はコースを移動する。例えば、サイクリストである参加者110は、ロードレースの多数のサイクリストのうち１人でもよい。更に、イベントを記録するために、異なるカメラが提供されてもよい。静止カメラ（この例はカメラ120である）がコースに沿った異なる位置に配置されてもよい。これらのカメラは人間のオペレータ又はリモコンにより操作可能であり、タワーに取り付けられてもよく、上から見た図を提供する頭上のバルーンに固定されてもよい。移動カメラも提供されてもよい。例えば、カメラ150は、参加者110と共にコースを移動する乗物140の後ろに固定されて図示されている。典型的には、複数のこのような乗物がイベントをカバーし、イベントを通じて所定の参加者又は参加者のグループに付き添うために使用される。更に、GPSトランシーバのような位置測定装置160が（例えば参加者により装着されて、又は参加者の自転車又は他の乗物に取り付けられて）参加者により運ばれてもよく、カメラ乗物140により運ばれてもよい。気象観測所130が静止カメラ120により使用されるタワーに取り付けられて図示されている。雲の覆い（快晴、晴れ、曇り）、温度、風速及び方位、湿度、体感温度、降水量等のような天候状態を測定するために、複数のこのような気象観測所がコースに沿った異なる位置に配置されてもよい。
【００１２】
カメラ120及び150と位置測定装置160と気象観測所130とにより取得されたデータは、異なる方法で収集され得る。１つの可能な手法では、カメラ120及び150と位置測定装置160と気象観測所130とは、通信乗物170のアンテナ172により受信可能な各無線RF信号を送信する送信機をそれぞれ有する。１つ以上のこのような通信乗物170は、必要に応じてコースの近くの様々な位置に配置され、無線信号を受信し得る。１つの手法では、通信乗物170は、例えば圧縮及び符号化を実行することにより、無線信号の受信データを処理し、アンテナ174を介して衛星180に送信する対応の信号を提供する回路176を有する。乗物170は、カメラ120又は150の視野で参加者110及び存在する場合には他の参加者とカメラとを関連付けるデータと、それぞれの移動及び／又は静止カメラ供給とを関連付けるオペレータにより操作されてもよい。
【００１３】
基本的には、各参加者に識別子が提供され、所定のカメラの視野にある参加者の識別子がそのカメラからのデータ供給に関連付けられ得る。前述のように、典型的には所定の移動カメラが所定の参加者又は参加者のグループに関連付けられる。しかし、移動カメラは参加者毎に利用可能でないことがあり、参加者がグループになることがあり、他の参加者を通り過ぎることがある。この問題に対処する１つの方法は、識別子を送信する送信機を各参加者に提供することにある。例えば、参加者110は、例えば腕に送信機112を装着してもよく、自転車に取り付けられた送信機112を装着してもよい。送信機112は、乗物140のトランシーバ155に信号を送信する。トランシーバ155は、参加者の識別子を有する信号とカメラ150の識別子とを通信乗物170に送信する。このように、何の参加者が所定の移動カメラの視野にあるかが常にわかる。送信機112の送信範囲及び方向は、それに従って構成され得る点に留意すべきである。位置測定装置160により提供される位置データは、位置が変化すると共に更新され、参加者がコースを移動するときに参加者の位置が追跡されることを可能にする。
【００１４】
衛星180は、例えばケーブル、衛星又は地上波放送を介してユーザに次に伝送するために、信号を通信乗物170からテレビ放送施設に中継し得る。有利には、デジタルテレビ伝送が使用されてもよい。テレビ放送施設のオペレータもまた、カメラ供給と参加者とを関連付けるデータをその伝送で提供してもよい点に留意すべきである。
【００１５】
参加者は異なる方法で静止カメラに関連付けられ得る。１つの可能な手法では、参加者により運ばれる送信機112からの無線信号を検出するために、トランシーバ155に類似したトランシーバが静止カメラ（例えばカメラ120）の近くに提供され、トランシーバが参加者の識別子とカメラ120の識別子とを備えた信号を通信乗物170に送信する。他の可能な手法では、通信乗物170又はテレビ施設は、位置測定装置（乗物140により運ばれるGPSトランシーバ160又は参加者により運ばれるGPSトランシーバ等）のデータを静止カメラの位置に関連付ける。静止カメラの位置は、乗物160がカメラに隣接するときにGPSトランシーバ160の１回の読み取りを行うことにより決定されてもよい。参加者を静止カメラに直接関連付けるデータは、テレビ視聴者のアプリケーションに提供され得る。他の可能な手法では、アプリケーションは、何のカメラが参加者に関連付けられるかを決定するために、参加者の位置データと静止カメラの位置データとを処理する。このことは、カメラの視野が参加者の位置と重複又は相関するときを決定することにより実現され得る。
【００１６】
視野はカメラの特性に基づいて指定の距離にあると仮定され得る。或いは、カメラ位置及びコースのレイアウトを考慮することにより視野を指定するデータが通信乗物170又はテレビ放送施設により提供され得る。例えば、コースの長い直線部分に沿って配置されたカメラは、ビルのような障害物又はコーナーの近くに配置されたカメラより長い視野を有する。
【００１７】
所望のデータを収集するために、様々な多の手法が使用されてもよい。例えば、カメラ120及び150と位置測定装置160と気象観測所130とトランシーバ155とは、衛星180と直接通信し得る。
【００１８】
図２は、本発明に従って異なるカメラ供給からのデータと更なるデータ（天候データ、位置データ、参加者とカメラ供給とを関連付けるデータ等）を多重するマルチプレクサを示している。例えばコースに沿った特徴に関する情報及び参加者に関する情報のような他のデータも同様に提供され得る。カメラ120及び150と位置測定装置160と気象観測所130とトランシーバ155とにより提供されるデータは、通信乗物170の回路176のようなマルチプレクサ200の入力線210に入力され、アンテナ174を介して衛星180と通信する出力線220に出力信号を提供し得る。データを多重することは好都合であるが、異なる通信経路の異なるチャネルを介してデータを視聴者に送信させることも可能である。例えば、カメラ供給データは衛星180を介して多重されて送信されてもよく、一方、位置測定装置160と気象観測所130とトランシーバ155とからのデータはインターネットのようなネットワークを介して視聴者に送信されてもよい。
【００１９】
図３は、本発明に従ってカメラ供給からのグラフィック及びデータを表示する双方向アプリケーションを動作するセットトップボックス300及びテレビ310を示している。１つの可能な手法では、双方向テレビアプリケーションは、セットトップボックスに格納されたソフトウェア、ファームウェア及び／又はマイクロコードのような実行可能命令を使用して動作し得る。命令を格納するメモリがプログラム記憶装置と考えられてもよい。少なくとも１つのプログラム記憶装置は、ここに記載の機能を実現するために少なくとも１つのプロセッサにより実行される命令を具体的に具現してもよい。アプリケーションを実装する更なるデータも、例えばテレビ放送で受信され得る。例えば、アプリケーションは、ローカルに格納されたデータを使用して、テレビ放送又はインターネットのような他の経路を介して提供されたデータを使用して埋め込まれるテンプレート表示を生成してもよい。
【００２０】
セットトップボックス300は、例えば通信乗物170及び衛星180により提供される多重信号に基づいて、テレビ放送施設から多重信号を受信してもよい。前述のように、信号は、異なるカメラ供給と、コースに沿った異なるポイントの天候データと、参加者及びカメラの位置データとを有してもよい。更に、何の参加者が何のカメラに関連付けられるかを直接示すデータが提供されてもよい。或いは、何の参加者が何のカメラに関連付けられるかを決定するようにアプリケーションにより処理されるデータが提供されてもよい。いずれの場合でも、参加者とカメラ供給とを関連付けるデータが提供される。
【００２１】
双方向テレビアプリケーションは、様々な画面上表示をテレビ310で提供し、例えばハンドヘルド型リモコン320を介して入力された視聴者からのコマンドに応答するように、受信データを処理する。音声コマンドのような他のインタフェース技術も同様に使用され得る。視聴者は、ハンドヘルド型リモコン320を介してコマンドを入力し、アプリケーションを開始し、図４のメニューを表示させてもよい。
【００２２】
テレビ310は、従来のスタンドアローン型装置でもよく、コンピュータ又は他の構成要素に組み込まれてもよい点に留意すべきである。更に、セットトップボックス300は一例のみとして議論されており、ホームメディアシステムの中央制御装置のような他の構成要素が使用されてもよい。更に、セットトップボックス300へのインターネット入力のような他の入力が提供されてもよい。
【００２３】
図４は、本発明による双方向テレビアプリケーションのメニュー400を示している。メニュー400は、イベントの１つのカメラ供給の放送のようなテレビ放送の上部に重ねられる画面上グラフィックとして表示されてもよい。メニュー400は、例えば放送内容の継続した視聴を可能にするために、画面の下部に提供されてもよい。これは放送されるサービスに添付される双方向アプリケーションのメニューである。このメニューを使用して、視聴者（エンドユーザ）は、リモコン320を使用してアプリケーションの異なる機能の全てをオープンすることができる。例えば、リモコン320は、異なる機能をオープンするため、視聴者が以後に興味を示す参加者を特定することのような特定の設定を入力するために、色分けされたボタンを有してもよい。
【００２４】
メニュー400は、“双方向サイクリングアプリケーション”と書いてあるタイトル領域402と、“赤：動的プロファイル”と書いてある第１の領域404と、“緑：ギャップ”と書いてある第２の領域406と、“青：天候”と書いてある第３の領域408とを有する。ユーザは、リモコン320の適切なボタンを押下し、これらの機能のいずれかを開始し得る。イベントの形式に応じて異なるメニューが提供され得る点に留意すべきである。
【００２５】
図５は、本発明による双方向テレビアプリケーションの動的プロファイルを示している。動的プロファイル500により、視聴者は、コースの異なる特徴（山岳、困難なコーナー又は他の障害物、休憩所等）をナビゲーションし、特徴に関する詳細な情報を見ることが可能になる。動的プロファイルは、キロメートル単位でコースに沿った異なるポイントの距離を示すx軸上のグラフィック510と、コースに沿った異なるポイントの高度又は標高を示すy軸上のグラフィック520とを有する。円形アイコンはコースの困難度を表す。１つの可能な方式では、参加者にとって困難なコースの長く急な上り坂部分は、あまり困難でない平坦な短い部分より小さい番号で示される。困難度は、急なカーブ又は狭い通路のような他の要素も同様に考慮してもよい。アイコン531−538は、コースに沿った異なる状態を表す。特に、アイコン531、532及び534は、低い困難度（レベル“4”）を示し、アイコン533及び535は地形が平坦であること（レベル“S”）を示し、アイコン536（レベル“1”）は高い困難度を示し、フォーク及びナイフのアイコンであるアイコン537は乗り手が一袋の食料を取得する提供領域を示す（例えばツール・ド・フランス中では、食料の取得はレース内でのこの時点でのみ許可される）。アイコン538（“HC”）は、上らなければならない山岳の最高の予定されるカテゴリーを示している。困難度は、例えばコースに沿った距離の単位当たりの標高の変化の傾斜を計算することにより、標高データを使用してアプリケーションにより計算されてもよく、例えばテレビ放送施設又は通信乗物170のオペレータにより割り当てられてもよい。
【００２６】
更に、矢印540のようなアイコンがリモコン320を使用して視聴者により制御されてもよい。特に、矢印540は、コースの異なる部分の上に配置され得る。例えば矢印が１つの円形アイコンの上に配置されると、特定されたコースの特徴に関する更なる情報を提供するグラフィックボックス530が表示される。一例として、最高の急勾配の特徴を示すアイコン536の上に配置された矢印540で、グラフィック530は、“Km94.0  −  Col  d’Aspin,  12.3km  climb  at  6.4%  −  1e  Cat”と書かれる。これは、ピークがコースの94kmの距離にあり、ピークにつながるまで12.3kmについて6.4%の平均勾配での登りが存在することを示している。ピークの地理的位置（Col  d’Aspin）も提供される。“1e  Cat”は、登りの困難度を示している。前述のように、この種類のデータは、１つの選択肢ではテレビ放送施設によりセットトップボックス300に通信され、セットトップボックス300で動作する双方向テレビアプリケーションがそこに提供される表示を生成することを可能にする。
【００２７】
図６は、本発明による双方向テレビアプリケーションのギャッププロファイルを示している。ギャッププロファイル600は、キロメートル単位でコースに沿った異なるポイントの距離を示すx軸上のグラフィック610と、コースに沿った異なるポイントの高度又は標高を示すy軸上のグラフィック620とを有する。このプロファイルには、参加者がコースを移動するときに参加者の位置が示される。参加者がコースに沿って進行するときにプロファイルが更新される。参加者の間の分離距離又はギャップもわかる。例えば、アイコン631、632、633、634及び635は、サイクリングイベントの異なる参加者を表す。アイコンはイベントに応じて変化し得る点に留意すべきである。プロファイル500と同様に、視聴者はアイコンの上に矢印640に動かし、異なる参加者をブラウズし、グラフィックボックス630から参加者に関する更なる情報を取得し得る。
【００２８】
図示の例では、矢印640はアイコン633及び634の上にあり、グラフィック630で参加者に関する対応情報は、“Pursuers:  131  −  ULLRICH  Jan,  171  MAYO  Iban”と書かれている。これは、２人の参加者がアイコン635で表す首位を追いかけていることを示す。更に、参加者の割り当てられたレース番号及び名前が提供される。個人略歴情報のような参加者に関する他の更に詳細な情報もグラフィック630で表示されてもよい。視聴者が参加者との記録済のインタビューのようなビデオにアクセスすることも可能である。
【００２９】
多数の参加者のアイコンを表示することは紛らわしくなる可能性があり、視聴者は特定の参加者の進行を追跡することにのみ興味を有することがある点に留意すべきである。これに対処するため、双方向テレビアプリケーションは、視聴者がイベント中に追随する１人以上の参加者を選択することを可能にする。例えば、画面上ウィンドウは、視聴者が所望の参加者のイベント／レース番号を入力するように促進してもよい。メニューが全ての参加者を表示し、視聴者がリストをスクロールして所望の参加者を選択し得る。視聴者はまた、参加者の１つ以上のチーム又は別な方法で関連する参加者のグループを同様に追随してもよい。例えば、アプリケーションは、視聴者が特定の国からの参加者を選択することを可能にしてもよい。
【００３０】
１つの可能な手法では、視聴者がイベント中に追随する参加者を選択すると、アプリケーションの異なるビューがオープンされたときに、選択された参加者に関する情報（コースに沿った位置等）のみが表示される。従って、残りの参加者はフィルタ除去される。他の手法では、選択された参加者の情報が強調して（例えばハイライト又は特別の色で）表示され、選択された参加者を他の参加者と区別する。
【００３１】
更に、ギャッププロファイル600は、指定の参加者が存在するビデオストリームに視聴者がジャンプすることを可能にする。前述のように、静止及び／又は移動カメラからのカメラ供給は、何のカメラが何の参加者の視野を有するかがわかるように、参加者に関連付けられ得る。このように、ユーザは、１人の参加者のアイコンの上に矢印640を配置し、ハンドヘルド型コントローラ320を使用してコマンドを入力し、選択された参加者のビデオ（例えばカメラ供給）を視聴し得る。視聴者はまた、追随する参加者のグループを選択し、ハンドヘルド型リモコンの特定のキーを押下し、そのグループに関連するビデオストリームをオープンし得る。ビデオは、グラフィック630を含み、ギャッププロファイル600と共に重ねられて表示されてもよい。
【００３２】
視聴者はまた、一度に全体コースを視聴するのではなく、拡大ビューでコースの一部のみを視聴する機能を提供されてもよい点に留意すべきである。また、視聴者は、１つの行の終点が次の行の始点で継続するように、画面上に異なる行でコースを表示することを選択してもよい。様々な他の選択肢が当業者に明らかになる。
【００３３】
図７は、本発明による双方向テレビアプリケーションの天候プロファイルを示している。前述のように、図１の気象観測所130のようなコースに沿った気象観測所からのデータが双方向テレビアプリケーションに提供され、コースに沿った異なるポイントでの天候状態を示すグラフィックを生成し得る。天候プロファイル700は、キロメートル単位でコースに沿った異なるポイントの距離を示すx軸上のグラフィック710と、コースに沿った異なるポイントの高度又は標高を示すy軸上のグラフィック720とを有する。天候状態を示すために、更なるグラフィックが提供される。例えば、アイコン730及び734はかなり曇った状態（２つの暗雲が太陽の一部を覆っている）を示しており、アイコン731、732及び733は晴れの状態（１つの暗雲及び１つの軽微な雲が太陽の一部を覆っている）を示している。他の天候状態に関する情報を提供するテキスト（温度、風速及び方位、湿度、体感温度、降水量等）を含むグラフィックも提供され得る。１つの可能な手法では、視聴者は矢印のようなアイコンをアイコン730−734の１つの上に移動し、ハンドヘルド型リモコンでコマンドを入力し、更なる詳細を備えた新しいグラフィックを表示させてもよい。
【００３４】
一般的に、プロファイル500、600及び700は、コースの参加者の１つのカメラ供給の放送のようなテレビ放送の上部に重ねられる画面上グラフィックとして表示されてもよい。プロファイル500、600及び700は、例えばテレビ画面の下部に提供されてもよく、別の画面で提供されてもよい。更に、プロファイルは異なる方法で結合され得る。例えば、天候プロファイル700はギャッププロファイル600と共に表示されてもよい。
【００３５】
本発明の好ましい実施例と考えられるものを図示及び説明したが、本発明の要旨を逸脱することなく、形式又は詳細の様々な変更及び変形が容易に行われ得ることがわかる。従って、本発明は記載及び図示した正確な形式に限定されず、特許請求の範囲内にある全ての変更をカバーするように解釈されるべきであることを意図する。
【図面の簡単な説明】
【００３６】
【図１】本発明に従って静止及び移動カメラからの供給が得られる道路コースでのサイクリスト
【図２】本発明に従って、異なるカメラ供給からのデータと更なるデータ（天候データ、位置データ、参加者とカメラ供給とを関連付けるデータ等）とを多重するマルチプレクサ
【図３】本発明に従って、カメラ供給からのグラフィック及びデータを表示する双方向アプリケーションを動作するセットトップボックス及びテレビ
【図４】本発明による双方向テレビアプリケーションのメニュー
【図５】本発明による双方向テレビアプリケーションの動的プロファイル
【図６】本発明による双方向テレビアプリケーションのギャッププロファイル
【図７】本発明による双方向テレビアプリケーションの天候画面
【図１】
2008522531.tif 000003
【図２】
2008522531.tif 000004
【図３】
2008522531.tif 000005
【図４】
2008522531.tif 000006
【図５】
2008522531.tif 000007
【図６】
2008522531.tif 000008
【図７】
2008522531.tif 000009
【国際調査報告】
2008522531.tif 000010
2008522531.tif 000011
2008522531.tif 000012